(57)【特許請求の範囲】
【請求項１】
地表に立設された複数の支柱と、この支柱の上端に一端が取着された主梁と、この主梁の両端に取着された軒梁と、この軒梁間に架け渡された屋根材とからなる簡易屋根に於いて、この軒梁が断面楕円形となされこの楕円形の一面がＬ溝状に折曲されて軒樋の機能を付与されたことを特徴とする簡易屋根。
【請求項２】
円弧上に湾曲された主梁の一端が略直角に屈曲されこの屈曲部の内径が支柱の外径より稍々大径となされ、支柱の上端にこの主梁の屈曲部が嵌装されてなることを特徴とする簡易屋根。
【請求項３】
主梁が円弧状に湾曲され、この主梁上に主梁と同心円状に湾曲された屋根材が配設されてなることを特徴とする請求項１又は、請求項２記載の簡易屋根。
【発明の詳細な説明】
【０００１】
【発明の属する技術分野】
本発明は、自転車置き場などに用いられる簡易屋根に関する。
【０００２】
【従来の技術】
従来、自転車置き場や自動車駐車スペースに用いられる簡易屋根としては、地表に一列状に立設された支柱の上端に水平あるいは稍々上向きの傾斜を付けた片持ちの屋根が付けられた簡易屋根が知られている。この簡易屋根は支柱の上端に梁が配設され、支柱上端と梁の基部が補強板で挟着固定され、この梁上に母屋が設けられ、この母屋上に屋根材が配設され、この屋根材の一端に断面コ字型の軒樋が取着されたものである。又、支柱の上端に溶接などで梁を一体に形成し、この梁上に母屋が設けられ、この母屋上に屋根材が配設されたものが知られていた。
【０００３】
【発明が解決しようとする課題】
しかしながら上記の如き簡易屋根に於いては、軒樋が軒梁の機能を付与されていたものの、上面に開口部を有していたため座屈しやすく、特に捻れ方向に応力がかかったときなどの耐力に問題があった。又、支柱と梁が補強板で挟着固定されている構造のため、施工時梁を支柱上に支えた状態で両側からボルトで固定せねばならず施工が困難であった。又、支柱の上端に溶接などで梁を一体に形成したものに於いては、支柱と梁が一体に形成されているため運搬時にかさばるなどの問題があった。
【０００４】
そこで本発明者は従来の欠点に鑑み鋭意研究の結果、強度的に問題がなく、施工が容易な簡易屋根を提供するものである。
【０００５】
【課題を解決するための手段】
本発明請求項１記載の簡易屋根は、地表に立設された複数の支柱と、この支柱の上端に一端が取着された主梁と、この主梁の両端に取着された軒梁と、この軒梁間に架け渡された屋根材とからなる簡易屋根に於いて、この軒梁が断面楕円形となされこの楕円形の一面がＬ溝状に折曲されて軒樋の機能を付与されたもので、軒梁の断面が閉断面となされているので、軒梁が座屈しにくく捻れにも強い。
【０００６】
又、本発明請求項２記載の簡易屋根は、円弧上に湾曲された主梁の一端が略直角に屈曲されこの屈曲部の内径が支柱の外径より稍々大径となされ、支柱の上端にこの主梁の屈曲部が嵌装されてなるもので、支柱上端に主梁の屈曲部をはめるだけで主梁の仮止めができるので施工が容易であり、補強板がないので外観がすっきりし景観上も好ましい。
【０００７】
又、本発明請求項３記載の簡易屋根は、主梁が円弧状に湾曲され、この主梁上に主梁と同心円状に湾曲された屋根材が配設されてなるもので、屋根材が湾曲されているので雨水やゴミが屋根材上に貯まりにくく、屋根が痛みにくい。
【０００８】
【発明の実施の形態】
以下、図面を参照しながら本発明に付いて説明する。
支柱１は下部が地中に埋設され、適宜間隔で地表に立設されている。主梁２は円弧上に湾曲されると共に一端が屈曲されこの屈曲部が支柱１上端に嵌着されている。主梁２の前後端部には軒梁３が載置取着されている。軒梁３の上側側壁はＬ型に内側に折曲され、Ｌ溝３１が形成されている。屋根材４は両端部が軒梁３のＬ溝３１上に取着されている。
【０００９】
軒梁３はＬ溝３１が一部形成された楕円形の断面形状の管状体で支柱１の近傍でＬ溝３１に透孔が穿設され、この透孔に竪樋５が取着され、降雨時このＬ溝３１が軒樋の機能をはたし、この竪樋５から雨水が排出される。軒梁３は丸型鋼管をフォーミングロールで成形して作製される。軒梁３の材質は前記した丸型鋼管に限るものではなく、アルミ合金押し出し型材などでもよいが、強度的に安定でコストの安い鋼管が好適に用いられる。軒梁３の断面形状が楕円形となされているのはコ字型などに比べて強度が高く、積雪時など屋根に大きな荷重がかかったときにも撓みにくく、捻れ応力に対しても強いからである。又、軒梁３の側面と下面は楕円形となされ、曲面で構成されるので外観上も好適である。
【００１０】
主梁２は鋼管を円弧状に湾曲させ、その一端が略直角に屈曲させて作製されている。この屈曲部の内径が拡管され、支柱１上端の外径より稍々大径となされている。この支柱１側壁にボルト孔が貫通して穿設されている。主梁２の先端部と基端部には前記軒梁３を取着するための受け金具が取着されている。主梁２の屈曲部が支柱１上端に被せられ、側壁に設けられたボルト孔を貫通して、ボルトが挿通され主梁２が支柱１に取着される。主梁２の材質は前記した鋼管に限るものではなく、アルミ合金押し出し型材などでもよいが、強度的に安定でコストの安い鋼管が好適に用いられる。
【００１１】
支柱１は鋼管を適宜長さに切断して作製され、上部には前記主梁２を取付けるためのボルト孔が側壁に貫通して穿設され、側壁の適宜箇所に竪樋５を取着するための取付具１１が取着されている。支柱１の材質は前記した鋼管に限るものではなく、アルミ合金押し出し型材などでもよいが、強度的に安定でコストの安い鋼管が好適に用いられる。
【００１２】
図２は本発明簡易屋根の実施形態の別の例を示す（イ）は正面図、（ロ）は側面図である。
この例では主梁２は端部が直角に屈曲されておらず、主梁２の端部と支柱１の上端部が補強板６に挟まれ、側面を貫通するボルトで挟着されている。この例では主梁２端部の屈曲加工が不要で製作が容易であるが、施工時主梁２を支柱１の上端部に仮置きすることができないので、組立に工数がかかるという問題がある。
【００１３】
【発明の効果】
上述の如く、本発明請求項１記載の簡易屋根は、地表に立設された複数の支柱と、この支柱の上端に一端が取着された主梁と、この主梁の両端に取着された軒梁と、この軒梁間に架け渡された屋根材とからなる簡易屋根に於いて、この軒梁が断面楕円形となされこの楕円形の一面がＬ溝状に折曲されて軒樋の機能を付与されたもので、軒梁の断面が閉断面となされているので、軒梁が座屈しにくく捻れにも強いので、積雪時など屋根に大きな荷重がかかったときにも撓みにくく、捻れ応力に対しても強いからである。又、軒梁の側面と下面は楕円形となされ、曲面で構成されるので外観上も好適である。
【００１４】
又、本発明請求項２記載の簡易屋根は、円弧上に湾曲された主梁の一端が略直角に屈曲されこの屈曲部の内径が支柱の外径より稍々大径となされ、支柱の上端にこの主梁の屈曲部が嵌装されてなるもので、支柱上端に主梁の屈曲部をはめるだけで主梁の仮止めができるので施工が容易であり、補強板がなく、主梁と支柱の接続部が曲面的に接合されるので、主梁の湾曲とあいまって外観が好適となる。
【００１５】
又、本発明請求項３記載の簡易屋根は、主梁が円弧状に湾曲され、この主梁上に主梁と同心円状に湾曲された屋根材が配設されてなるもので、屋根材が湾曲されているので雨水やゴミが屋根材上に貯まりにくく、屋根が痛みにくい。
【図面の簡単な説明】
【図１】本発明簡易屋根の実施形態の一例を示す側面図である。
【図２】図１の要部の詳細図である。
【図３】本発明簡易屋根の他の実施形態を示す（イ）は正面図、（ロ）は側面図である。
【符号の説明】
１    支柱
１１  取付具
２    主梁
３    軒梁
３１  Ｌ溝
４    屋根材
５    竪樋
６    補強板
【図１】
0003557865.tif 000002
【図２】
0003557865.tif 000003
【図３】
0003557865.tif 000004